(57)【要約】【課題】本発明はミニナイトランプを開示した。【解決手段】移動箱を含み、前記移動箱の右側端面にはミニナイトランプを固定できる吸盤が固定的に装着され、前記移動箱の中には下へ開口した回転チャンバが設置され、前記回転チャンバの前後内壁の間には回転ロッドが回転できるように装着され、前記回転ロッドにはプラグが固定的に装着され、押しボタンを押して推し動かしロッドを連動させて下へ移動させ、推し動かしロッドが第一固定ロッドにより引っ掛かりブロックを連動させて左へ移動させ、引っ掛かりブロックが第二引っ掛かり溝との引っ掛かり状態から離脱し、移動箱が下へ移動でき、プラグを収納でき、ナイトランプが使用されない時、プラグと外部空間の空気との接触時間を短縮できる。【選択図】図１
2020177883.tif 000002
【特許請求の範囲】
【請求項１】
移動箱を含み、前記移動箱の右側端面にはミニナイトランプを固定できる吸盤が固定的に装着され、前記移動箱の中には下へ開口した回転チャンバが設置され、前記回転チャンバの前後内壁の間には回転ロッドが回転できるように装着され、前記回転ロッドにはプラグが固定的に装着され、前記回転チャンバの右側には定位チャンバが連通するように設置され、前記定位チャンバの頂壁には移動チャンバが連通するように設置され、前記移動チャンバの中には引っ掛かり板がスライドできるように装着され、前記プラグの中には第一引っ掛かり溝が設置され、前記第一引っ掛かり溝に前記引っ掛かり板が引っかかることができ、前記引っ掛かり板の左側端面と前記移動チャンバの左側内壁との間には第一ばねが固定的に装着され、前記移動チャンバの左側にはスライド溝が連通するように設置され、前記スライド溝の中にはスライド板がスライドできるように装着され、前記スライド板が前記引っ掛かり板と固定的に連結され、前記移動箱の左側にはリミット箱が設置され、前記リミット箱の中には連結チャンバが設置され、前記連結チャンバの中には第二固定ロッドが固定的に装着され、前記スライド板の底部端面には移動板が固定的に装着され、前記移動板の中には第二空き溝が設置され、前記第二空き溝が前記第二固定ロッドとスライドできるように装着され、前記移動箱の左側端面には移動ブロックが前後対称的に固定的に装着され、前記リミット箱の右側端面の中には移動溝が前後対称的に設置され、前記移動溝が前記移動ブロックとスライドできるように装着され、前記移動箱が下へスライドする時、前記第二固定ロッドにより前記スライド板を連動させて左へスライドさせ、そして前記プラグを回転させ、前記プラグの頂部端面を右へ向かせ、この時、前記引っ掛かり板が前記第一引っ掛かり溝の中に入り、前記移動箱を上へ推し動かし、前記引っ掛かり板が前記第一引っ掛かり溝の中に引っ掛かり、前記移動箱の回転を制限し、前記リミット箱の中には前記移動箱を引っかからせることができる引っ掛かり機構も設置され、前記引っ掛かり機構の左側には照明できる照明機構が設置されていることを特徴とするミニナイトランプ。
【請求項２】
前記引っ掛かり機構は前記リミット箱の頂部の端面に設置されている押しボタン溝を含み、前記押しボタン溝の中には押しボタンがスライドできるように装着され、前記押しボタン溝の下方には推し動かし溝が連通するように設置され、前記推し動かし溝の中には推し動かしロッドがスライドできるように装着され、前記推し動かしロッドが前記押しボタンと固定的に連結され、前記推し動かしロッドの底部端面と前記推し動かし溝の底壁との間には第二ばねが固定的に装着され、前記推し動かし溝の前側にはばねチャンバが連通するように設置され、前記ばねチャンバの中には引っ掛かりブロックがスライドできるように装着され、前記引っ掛かりブロックの左側端面と前記ばねチャンバの左側内壁との間には第三ばねが固定され、前記引っ掛かりブロックの中には第一空き溝が設置され、前記推し動かしロッドの前側端面には第一固定ロッドが固定的に装着され、前記第一固定ロッドが前記第一空き溝とスライドできるように装着され、前記移動箱の左側端面には前記ばねチャンバと連通できる第二引っ掛かり溝が設置され、前記引っ掛かりブロックが前記第二引っ掛かり溝の中に引っかかることができることを特徴とする請求項１に記載のミニナイトランプ。
【請求項３】
前記照明機構は前記リミット箱の中に設置されている調整チャンバを含み、前記調整チャンバの後側内壁の中には前記リミット箱の前側端面を貫通している第一ネジロッドが回転できるように装着され、前記第一ネジロッドの前側端面には第一つまみが固定的に装着され、前記調整チャンバの前側にはネジ溝が連通するように設置され、前記ネジ溝の中にはネジ山ブロックがスライドできるように装着され、前記ネジ山ブロックが前記第一ネジロッドとネジ山により装着され、前記第一ネジロッドには固定ブロックが固定的に装着され、前記固定ブロックの左側端面にはランプ箱が固定的に装着され、前記ランプ箱の中には高度チャンバが設置され、前記高度チャンバの左側にはランプチャンバが連通するように設置され、前記高度チャンバの中にはランプベースがスライドできるように装着され、前記高度チャンバの頂壁の中には前記ランプ箱の底部端面を貫通している第二ネジロッドが回転できるように装着され、前記第二ネジロッドの底部端面には第二つまみが固定的に装着され、前記第二ネジロッドが前記ランプベースとネジ山により装着され、前記ランプベースの左側端面には電球が固定的に装着されていることを特徴とする請求項１に記載のミニナイトランプ。
【発明の詳細な説明】
【技術分野】
【０００１】
本発明は照明器具分野を取り上げて、具体的にはミニナイトランプである。
【背景技術】
【０００２】
一般的なナイトランプが使用される時、プラグをコンセントの中に挿入すればよく、ナイトランプが遊んでいる時、プラグが空気にさらされ、腐食しやすく、ナイトランプの使用に影響を及ぼし、家に子供がいる場合、プラグを間違って食べる可能性があり、子供の健康に影響する。
【先行技術文献】
【特許文献】
【０００３】
【特許文献１】中国特許出願公開第106609990号明細書
【発明の概要】
【発明が解決しようとする課題】
【０００４】
本発明はミニナイトランプを提供し、従来技術における上記欠点を解消することを目的とする。
【課題を解決するための手段】
【０００５】
本発明のミニナイトランプは、移動箱を含み、前記移動箱の右側端面にはミニナイトランプを固定できる吸盤が固定的に装着され、前記移動箱の中には下へ開口した回転チャンバが設置され、前記回転チャンバの前後内壁の間には回転ロッドが回転できるように装着され、前記回転ロッドにはプラグが固定的に装着され、前記回転チャンバの右側には定位チャンバが連通するように設置され、前記定位チャンバの頂壁には移動チャンバが連通するように設置され、前記移動チャンバの中には引っ掛かり板がスライドできるように装着され、前記プラグの中には第一引っ掛かり溝が設置され、前記第一引っ掛かり溝に前記引っ掛かり板が引っかかることができ、前記引っ掛かり板の左側端面と前記移動チャンバの左側内壁との間には第一ばねが固定的に装着され、前記移動チャンバの左側にはスライド溝が連通するように設置され、前記スライド溝の中にはスライド板がスライドできるように装着され、前記スライド板が前記引っ掛かり板と固定的に連結され、前記移動箱の左側にはリミット箱が設置され、前記リミット箱の中には連結チャンバが設置され、前記連結チャンバの中には第二固定ロッドが固定的に装着され、前記スライド板の底部端面には移動板が固定的に装着され、前記移動板の中には第二空き溝が設置され、前記第二空き溝が前記第二固定ロッドとスライドできるように装着され、前記移動箱の左側端面には移動ブロックが前後対称的に固定的に装着され、前記リミット箱の右側端面の中には移動溝が前後対称的に設置され、前記移動溝が前記移動ブロックとスライドできるように装着され、前記移動箱が下へスライドする時、前記第二固定ロッドにより前記スライド板を連動させて左へスライドさせ、そして前記プラグを回転させ、前記プラグの頂部端面を右へ向かせ、この時、前記引っ掛かり板が前記第一引っ掛かり溝の中に入り、前記移動箱を上へ推し動かし、前記引っ掛かり板が前記第一引っ掛かり溝の中に引っ掛かり、前記移動箱の回転を制限し、前記リミット箱の中には前記移動箱を引っかからせることができる引っ掛かり機構も設置され、前記引っ掛かり機構の左側には照明できる照明機構が設置されている。
【０００６】
更の技術プランとしては、前記引っ掛かり機構は前記リミット箱の頂部の端面に設置されている押しボタン溝を含み、前記押しボタン溝の中には押しボタンがスライドできるように装着され、前記押しボタン溝の下方には推し動かし溝が連通するように設置され、前記推し動かし溝の中には推し動かしロッドがスライドできるように装着され、前記推し動かしロッドが前記押しボタンと固定的に連結され、前記推し動かしロッドの底部端面と前記推し動かし溝の底壁との間には第二ばねが固定的に装着され、前記推し動かし溝の前側にはばねチャンバが連通するように設置され、前記ばねチャンバの中には引っ掛かりブロックがスライドできるように装着され、前記引っ掛かりブロックの左側端面と前記ばねチャンバの左側内壁との間には第三ばねが固定され、前記引っ掛かりブロックの中には第一空き溝が設置され、前記推し動かしロッドの前側端面には第一固定ロッドが固定的に装着され、前記第一固定ロッドが前記第一空き溝とスライドできるように装着され、前記移動箱の左側端面には前記ばねチャンバと連通できる第二引っ掛かり溝が設置され、前記引っ掛かりブロックが前記第二引っ掛かり溝の中に引っかかることができる。
【０００７】
更の技術プランとしては、前記照明機構は前記リミット箱の中に設置されている調整チャンバを含み、前記調整チャンバの後側内壁の中には前記リミット箱の前側端面を貫通している第一ネジロッドが回転できるように装着され、前記第一ネジロッドの前側端面には第一つまみが固定的に装着され、前記調整チャンバの前側にはネジ溝が連通するように設置され、前記ネジ溝の中にはネジ山ブロックがスライドできるように装着され、前記ネジ山ブロックが前記第一ネジロッドとネジ山により装着され、前記第一ネジロッドには固定ブロックが固定的に装着され、前記固定ブロックの左側端面にはランプ箱が固定的に装着され、前記ランプ箱の中には高度チャンバが設置され、前記高度チャンバの左側にはランプチャンバが連通するように設置され、前記高度チャンバの中にはランプベースがスライドできるように装着され、前記高度チャンバの頂壁の中には前記ランプ箱の底部端面を貫通している第二ネジロッドが回転できるように装着され、前記第二ネジロッドの底部端面には第二つまみが固定的に装着され、前記第二ネジロッドが前記ランプベースとネジ山により装着され、前記ランプベースの左側端面には電球が固定的に装着されている。
【発明の効果】
【０００８】
本発明の有益効果は：本発明はプラグを収納でき、ナイトランプが使用されない時、プラグと外部空間の空気との接触時間を短縮し、プラグが腐食する速度を緩め、子供に間違って食べられることを防止し、しかも照明装置は電球の角度と高さを調整でき、普及する価値がある。
【図面の簡単な説明】
【０００９】
【図１】図１は本発明の構成模式図
【図２】図２は図１の中のＡ−Ａ方向の断面構成模式図
【図３】図３はプラグ２７の使用状態図
【図４】図４は図１の中のＢにおける拡大模式図
【発明を実施するための形態】
【００１０】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１１】
図１〜４を参照し、本発明のミニナイトランプは、移動箱３４を含み、前記移動箱３４の右側端面にはミニナイトランプを固定できる吸盤３３が固定的に装着され、前記移動箱３４の中には下へ開口した回転チャンバ２５が設置され、前記回転チャンバ２５の前後内壁の間には回転ロッド２６が回転できるように装着され、前記回転ロッド２６にはプラグ２７が固定的に装着され、前記回転チャンバ２５の右側には定位チャンバ２８が連通するように設置され、前記定位チャンバ２８の頂壁には移動チャンバ３０が連通するように設置され、前記移動チャンバ３０の中には引っ掛かり板２９がスライドできるように装着され、前記プラグ２７の中には第一引っ掛かり溝１９が設置され、前記第一引っ掛かり溝１９に前記引っ掛かり板２９が引っかかることができ、前記引っ掛かり板２９の左側端面と前記移動チャンバ３０の左側内壁との間には第一ばね３１が固定的に装着され、前記移動チャンバ３０の左側にはスライド溝５２が連通するように設置され、前記スライド溝５２の中にはスライド板３２がスライドできるように装着され、前記スライド板３２が前記引っ掛かり板２９と固定的に連結され、前記移動箱３４の左側にはリミット箱４３が設置され、前記リミット箱４３の中には連結チャンバ１７が設置され、前記連結チャンバ１７の中には第二固定ロッド５０が固定的に装着され、前記スライド板３２の底部端面には移動板４９が固定的に装着され、前記移動板４９の中には第二空き溝５１が設置され、前記第二空き溝５１が前記第二固定ロッド５０とスライドできるように装着され、前記移動箱３４の左側端面には移動ブロック１８が前後対称的に固定的に装着され、前記リミット箱４３の右側端面の中には移動溝２４が前後対称的に設置され、前記移動溝２４が前記移動ブロック１８とスライドできるように装着され、前記移動箱３４が下へスライドする時、前記第二固定ロッド５０により前記スライド板３２を連動させて左へスライドさせ、そして前記プラグ２７を回転させ、前記プラグ２７の頂部端面を右へ向かせ、この時、前記引っ掛かり板２９が前記第一引っ掛かり溝１９の中に入り、前記移動箱３４を上へ推し動かし、前記引っ掛かり板２９が前記第一引っ掛かり溝１９の中に引っ掛かり、前記移動箱３４の回転を制限し、前記リミット箱４３の中には前記移動箱３４を引っかからせることができる引っ掛かり機構７０も設置され、前記引っ掛かり機構７０の左側には照明できる照明機構８０が設置されている。
【００１２】
前記引っ掛かり機構７０は前記リミット箱４３の頂部の端面に設置されている押しボタン溝３９を含み、前記押しボタン溝３９の中には押しボタン４０がスライドできるように装着され、前記押しボタン溝３９の下方には推し動かし溝４７が連通するように設置され、前記推し動かし溝４７の中には推し動かしロッド４１がスライドできるように装着され、前記推し動かしロッド４１が前記押しボタン４０と固定的に連結され、前記推し動かしロッド４１の底部端面と前記推し動かし溝４７の底壁との間には第二ばね４８が固定的に装着され、前記推し動かし溝４７の前側にはばねチャンバ４２が連通するように設置され、前記ばねチャンバ４２の中には引っ掛かりブロック３６がスライドできるように装着され、前記引っ掛かりブロック３６の左側端面と前記ばねチャンバ４２の左側内壁との間には第三ばね５３が固定され、前記引っ掛かりブロック３６の中には第一空き溝３７が設置され、前記推し動かしロッド４１の前側端面には第一固定ロッド３８が固定的に装着され、前記第一固定ロッド３８が前記第一空き溝３７とスライドできるように装着され、前記移動箱３４の左側端面には前記ばねチャンバ４２と連通できる第二引っ掛かり溝３５が設置され、前記引っ掛かりブロック３６が前記第二引っ掛かり溝３５の中に引っかかることができ、これによりプラグ２７を使用する時、押しボタン４０を押して推し動かしロッド４１を連動させて下へ移動させ、推し動かしロッド４１が第一固定ロッド３８により引っ掛かりブロック３６を連動させて左へ移動させ、引っ掛かりブロック３６が第二引っ掛かり溝３５との引っ掛かり状態から離脱し、移動箱３４が下へ移動できる。
【００１３】
前記照明機構８０は前記リミット箱４３の中に設置されている調整チャンバ２３を含み、前記調整チャンバ２３の後側内壁の中には前記リミット箱４３の前側端面を貫通している第一ネジロッド２０が回転できるように装着され、前記第一ネジロッド２０の前側端面には第一つまみ４５が固定的に装着され、前記調整チャンバ２３の前側にはネジ溝４６が連通するように設置され、前記ネジ溝４６の中にはネジ山ブロック４４がスライドできるように装着され、前記ネジ山ブロック４４が前記第一ネジロッド２０とネジ山により装着され、前記第一ネジロッド２０には固定ブロック２２が固定的に装着され、前記固定ブロック２２の左側端面にはランプ箱１１が固定的に装着され、前記ランプ箱１１の中には高度チャンバ１４が設置され、前記高度チャンバ１４の左側にはランプチャンバ１３が連通するように設置され、前記高度チャンバ１４の中にはランプベース１６がスライドできるように装着され、前記高度チャンバ１４の頂壁の中には前記ランプ箱１１の底部端面を貫通している第二ネジロッド１２が回転できるように装着され、前記第二ネジロッド１２の底部端面には第二つまみ２１が固定的に装着され、前記第二ネジロッド１２が前記ランプベース１６とネジ山により装着され、前記ランプベース１６の左側端面には電球１５が固定的に装着され、これにより電球１５を使用して照明する時、第一つまみ４５を回転させてネジ山ブロック４４と固定ブロック２２との間のきつさを調整することにより、ランプ箱１１の角度を調整し、また第二つまみ２１を回転させてランプベース１６の上下移動を連動させることにより、電球１５の高さを調整する。
【００１４】
使用する時、プラグ２７を使用する時、押しボタン４０を押して推し動かしロッド４１を連動させて下へ移動させ、推し動かしロッド４１が第一固定ロッド３８により引っ掛かりブロック３６を連動させて左へ移動させ、引っ掛かりブロック３６が第二引っ掛かり溝３５との引っ掛かり状態から離脱し、移動箱３４が下へ移動でき、移動箱３４が下へスライドする時、第二固定ロッド５０によりスライド板３２を連動させて左へスライドさせ、そしてプラグ２７を回転させ、プラグ２７の頂部端面を右へ向かせ、この時、引っ掛かり板２９が第一引っ掛かり溝１９の中に入り、移動箱３４を上へ推し動かし、引っ掛かり板２９が第一引っ掛かり溝１９の中に引っ掛かり、移動箱３４の回転を制限し、電球１５を使用して照明する時、第一つまみ４５を回転させてネジ山ブロック４４と固定ブロック２２との間のきつさを調整することにより、ランプ箱１１の角度を調整し、また第二つまみ２１を回転させてランプベース１６の上下移動を連動させることにより、電球１５の高さを調整する。
【００１５】
本発明の有益効果は：本発明はプラグを収納でき、ナイトランプが使用されない時、プラグと外部空間の空気との接触時間を短縮し、プラグが腐食する速度を緩め、子供に間違って食べられることを防止し、しかも照明装置は電球の角度と高さを調整でき、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177883.tif 000003
【図２】
2020177883.tif 000004
【図３】
2020177883.tif 000005
【図４】
2020177883.tif 000006